(57)【特許請求の範囲】
【請求項１】
本部装置が映像、音声、および各種データを編集し、番組データを通信回線経由で表示端末装置に、表示出力するインフォーションシステムにおいて、
前記映像、音声、および各種データからなる番組データを編集する手段と、表示出力するインフォメーションの表示スケジュールを登録する手段と、前記インフォメーションの内容をマスタに登録する手段と、前記インフォメーションの最小単位のコンテンツを編集する手段と、前記コンテンツを編集して番組データを編集する手段と、前記コンテンツを編集するための映像、音声、および各種データを入力し選択する手段と、前記通信回線に通信接続する手段と、該通信回線に通信接続された前記表示端末装置を本部より制御する手段とを有する管理サーバと、
ＬＡＮ（Local Area Network）などの通信回線と、
前記通信回線と通信接続する手段と、前記番組データおよび制御データなどを記憶再生する手段と、前記記憶再生手段を制御する手段とを有するファイルサーバと、
前記通信回線と通信接続する手段と、該通信回線経由で受信した番組データおよび制御データを記憶再生する手段と、該記憶した番組データを表示出力する表示出力手段と、外部映像装置と、外部ＡＶ（Audio Vidual）機器を制御する手段とを有する複数の表示端末装置とで構成し、
前記管理編集サーバは、映像、音声、および各種データなどより前記インフォメーションの最小単位のコンテンツを編集記憶し、前記コンテンツおよび外部コンテンツデータなどを編集して番組データを編集登録すると共に通信回線を経由して通信接続された複数の前記表示端末装置を制御するための制御データを編集登録し、該編集登録された番組データおよび制御データは前記通信回線経由で複数の前記表示端末装置に送出され、該表示端末装置は受信した番組データおよび制御データを記憶すると共に該番組データおよび制御データにより前記表示出力手段に表示出力することを特徴とするインフォメーションシステム。
【請求項２】
前記管理編集サーバを、前記コンテンツ一画面毎の表示時間を設定する表示時間設定部と前記コンテンツ一画面毎の表示内容を編集する表示内容編集部と画像データや文字情報の配置等を定型的に配置したテンプレートを作成登録するテンプレート作成登録部と該テンプレートの文字色やフォントを変更して編集するテンプレート編集部となどからなる画面編集部と、スケジュールの登録、編集を行ったスケジュールの更新登録、前記各表示端末装置の自動電源入切り制御のスケジュールの登録などを行うスケジュールマスタ登録部と、前記スケジュールマスタ登録部に登録された日付選択、情報ソース選択、および表示時間などの変更と手動制御とを行うスケジュールアクティブ登録部と、編集、登録などの作業画面を選択するメニュー画面選択部と、前記表示端末装置の音量、自動電源入切りの時間のディフォルト値などを設定する端末設定部と、前記テンプレート、外部入力画像データ、音声データ、文字情報などを編集してコンテンツを作成するコンテンツ編集部と、前記コンテンツと外部ＡＶ装置より入力した画像データ、音声データ、文字情報などを編集してインフォメーション番組を作成する番組編集部と、前記外部ＡＶ装置を制御する入力機器制御部と、前記編集および登録などの操作を行う操作部と、前記複数の表示端末装置などの動作を制御するシステム制御部と、前記通信回線に通信接続する通信制御部とで構成し、
前記ファイルサーバを、前記通信回線に通信接続する通信制御部と、前記管理編集サーバより通信回線を経由して受信した画像データを記憶再生する画像データファイルと、同音声データを記憶再生する音声データファイルと、同テンプレートデータを記憶再生するテンプレートファイルと、同テキストデータを記憶再生するテキストデータファイルと、同コンテンツデータを記憶再生するコンテンツデータファイルと、同番組データを記憶再生する番組データファイルと、該データファイル類の記憶再生を制御するファイル制御部とで構成し、
前記管理編集サーバは画像データ、音声データ、文字情報、手動入力データなどを再編してコンテンツデータ、番組データ、システム制御データなどを作成し、該データ類を前記通信回線経由で前記ファイルサーバに送出し、該ファイルサーバは受信した該データ類を所定のファイルに記憶し、前記管理編集サーバは定時的に前記ファイルサーバに記憶している番組データを読出し、前記通信回線を経由して前記各表示端末装置に送出すると共に該表示端末装置を制御することを特徴とする請求項１記載のインフォメーションシステム。
【請求項３】
前記画面編集部に、前記表示端末装置の表示部に表示する表示画面のパターンを編集するパターン編集部を追加設置することを特徴とする請求項２記載のインフォメーションシステム。
【請求項４】
前記画面編集部に、前記パターン編集のためのサンプル画面の登録を行うサンプル登録部を追加設置することを特徴とする請求項２もしくは３記載のインフォメーションシステム。
【請求項５】
前記画面編集部に、前記コンテンツ一画面毎の表示効果を設定する表示効果設定部を追加設置することを特徴とする請求項２記載のインフォメーションシステム。
【請求項６】
前記画面編集部に、表示内容の背景、文字枠、テロップなどの画面マスタの変更および編集を行うマスタ変更部を追加設置することを特徴とする請求項２記載のインフォメーションシステム。
【請求項７】
前記画面編集部に、前記コンテンツ一画面毎の音声を設定する音声設定部を追加設置することを特徴とする請求項２記載のインフォメーションシステム。
【請求項８】
前記画面編集部に、前記パターン毎にＢＧＭ（Back Ground Music ）を設定するＢＧＭ設定部を追加設置することを特徴とする請求項２記載のインフォメーションシステム。
【請求項９】
前記画面編集部に前記表示端末装置のアプリケーションプログラムを設定登録するＥＸＥ設定部と、前記ファイルサーバに前記設定登録された該アプリケーションプログラムの記憶再生を行うＥＸＥデータファイルとを追加設置することを特徴とする請求項２記載のインフォメーションシステム。
【請求項１０】
前記管理編集サーバに会議室、講習室、展示室などの施設の利用をタイムチャートなどを用いて予約登録する施設利用予約部と、前記ファイルサーバに前記予約登録された予約登録データの記憶再生を行う予約データファイルとを追加設置することを特徴とする請求項２記載のインフォメーションシステム。
【請求項１１】
前記表示端末装置を、
画像表示出力する表示部と音声を出力する音声出力部とを有する表示装置と、前記通信回線と通信接続する通信制御部と、前記通信回線経由で受信した、前記コンテツデータの画像および音声データなどの表示データを記憶する表示データファイルと同文字や記号などの文書データを記憶するテキストデータファイルと同番組データを記憶する番組データファイルとを有するデータメモリと、日時データを生成するカンレンダと、前記データメモリよりの読出データよりインフォメーションの表示データを生成表示するインフォメーション表示部と同読出データよりテロップ形式の表示データを生成表示するテロップ表示部と前記外部映像装置よりの画像信号および音声信号より表示データを生成出力するＡＶ機器表示部とを有する表示画面生成部と、前記番組データに基づいて表示番組をスケージュール制御する番組制御部と、外部ＡＶ機器を制御する機器制御部と、該表示端末装置を手動操作する操作部とで構成し、前記管理編集サーバより前記通信回線を経由して、受信したコンテンツデータ、番組データ、制御データなどを前記データメモリに記憶すると共に前記カンレンダよりの日時データおよび番組データを照合して所定の時刻毎に、前記表示装置に番組を表示出力することを特徴とする請求項１記載のインフォメーションシステム。
【請求項１２】
前記表示装置の表示部を、プラズマデイスプレイ（ＰＤＰ）などの大画面マトリクス形ディスプレイパネルとすることを特徴とする請求項１１記載のインフォメーションシステム。
【請求項１３】
前記表示装置の表示部を、液晶ディスプレイプロジェクタなどの大画面プロジェクタとすることを特徴とする請求項１１記載のインフォメーションシステム。
【請求項１４】
前記データメモリの記憶手段を、ＤＲＡＭやＳＲＡＭなどで構成する半導体ディスク記憶手段とすることを特徴とする請求項１１記載のインフォメーションシステム。
【請求項１５】
前記データメモリの記憶手段を、ＨＤＤ（Hard Disk Drive ）などの磁気デイスク記憶手段とすることを特徴とする請求項１１記載のインフォメーションシステム。
【請求項１６】
前記データメモリの記憶手段を、ＰＤなどの光ディスク記憶手段とすることを特徴とする請求項１１記載のインフォメーションシステム。
【請求項１７】
前記データメモリの記憶手段を、ＭＯＤ  （Magnetic Optic disk Drive ）やＭＤＤ（Mini Disk Drive)などの光磁気ディスク記憶手段とすることを特徴とする請求項１１記載のインフォメーションシステム。
【請求項１８】
前記表示画面生成部に、前記会議室、講習室、展示室などの施設の利用予約情報画面を生成する案内表示部を追加設置することを特徴とする請求項１１記載のインフォメーションシステム。
【請求項１９】
前記データメモリに、表示用アプリケーションプログラムを記憶するＥＸＥデータファイルを追加設置することを特徴とする請求項１１記載のインフォメーションシステム。
【請求項２０】
前記表示画面生成部に、インターネット上のＨＴＭＬ（Hyper Text Markup Language）などによる情報から表示画面を生成するＷＷＷ表示部を追加設置することを特徴とする請求項１１記載のインフォメーションシステム。
【請求項２１】
前記表示画面生成部に、前記ＥＸＥデータファイルに記憶している表示アプリケーションデータに基づいて番組画面を表示生成するＥＸＥ表示部を追加設置することを特徴とする請求項１１記載のインフォメーションシステム。
【請求項２２】
前記本部装置と前記通信回線と前記複数の表示端末装置とに、ＩＳＤＮ（Integlated Service Digial Network ）などの公衆回線網を追加設置し、前記本部装置と前記複数の表示端末装置とを前記公衆回線網を介して通信接続し、大規模のインフォメーションネットワークを構築することを特徴とする請求項１記載のインフォメーションシステム。
【請求項２３】
前記本部装置と前記通信回線と前記複数の表示端末装置とに、衛星通信ネットワークと衛星通信受信部とを追加設置し、前記本部装置と前記複数の表示端末装置とを前記衛星通信ネットワークを介して通信接続し、大規模のインフォメーションネットワークを構築することを特徴とする請求項１記載のインフォメーションシステム。
【請求項２４】
前記メニュー画面選択部のスケジュールアクティブ画面を、少なくとも、月単位の年月日および曜日を表示し且つ日付設定が可能なカレンダ設定表示欄と、日付表示欄と、送信チャンネル毎の番組を表示するチャンネル表示欄と、チャンネル毎の時間帯別の送出動作を表示するチャンネル表示時間バーと、現在送出中の番組の種類を表示する番組表示欄と、テロップを送出する時間帯を表示するテロップタイムチャートとで構成することを特徴とする請求項１記載のインフォメーションシステム。
【請求項２５】
前記メニュー画面選択部のスケジュールアクティブ画面に、現在表示中の番組の静止画像もしくは動画像を表示する画像表示欄を追加設置することを特徴とする請求項２４記載のインフォメーションシステム。
【請求項２６】
前記メニュー画面選択部のスケジュールアクティブ画面に、パターン編集に必要となるパターン用テンプレートを選択するパターン選択ボタン欄と、テロップ編集に必要となるテロップ用プレートを選択するテロップ選択ボタン欄とを追加設置することを特徴とする請求項２４記載のインフォメーションシステム。
【請求項２７】
前記メニュー画面選択部のスケジュールアクティブ画面に、非常放送や一斉に通知する番組などを送出指令する強制表示ボタン欄を追加設置することを特徴とする請求項２４記載のインフォメーションシステム。
【発明の詳細な説明】
【０００１】
【発明の属する技術分野】
本発明は、本部装置で映像、音声、および各種データを編集した番組データを通信回線経由で複数の表示端末装置に表示出力するインフォーションシステムに係わる。
【０００２】
【従来の技術】
行政情報、行事案内、商品情報、サービス案内、お知らせ、会場案内など多彩な情報を掲示するインフォメーションボードは、従来、紙のポスター、ＬＥＤ（光半導体ダイオード）表示ボードなどが広く用いられているが、多彩な情報をタイムリーに掲示することが困難である。又映像表示装置を用いて、動画や音声を表示出力するインフォメーションシステムがある。さらに通信回線を経由して、広域地域に設置された映像表示装置に、情報を伝送するなどしている。本部装置と多数の映像表示装置とは本格的なシステム化がなされておらず、個々の映像表示装置は設置現場の判断で個別に、表示番組の選択や該映像表示装置の起動／停止の操作などが行われている。お知しらせや広告などの番組の制作は、別のシステムで予め作成しファイル装置などに記録再生したり、カメラを用いて生情報を流すなどの手法が用いられている。このため、複数の番組が並行して送出されるよな大規模システムの運用は、多数の専任スタッフを抱えたり、タイムリーな番組の提供が出来ないなどの問題点がある。
【０００３】
【発明が解決しようとする課題】
本発明は、前述の問題点に鑑み、本部装置で映像、音声、および各種データを簡便に編集して番組データを作成し、通信回線で接続した複数の表示端末装置に、該装置の制御プログラムおよびタイムテーブル付きの番組データを伝送するインフォメーションシステムの構築を目的とする。
【０００４】
【課題を解決するための手段】
映像、音声、および各種データからなる番組データを編集する手段と、表示出力するインフォメーションの表示スケジュールを登録する手段と、インフォメーションの内容をマスタに登録する手段と、インフォメーションの最小単位のコンテンツを編集する手段と、コンテンツを編集して番組データを編集する手段と、コンテンツを編集するための映像、音声、および各種データを入力し選択する手段と、通信回線に通信接続する手段と、通信回線に通信接続された表示端末装置を本部より制御する手段とを有する管理サーバと、
ＬＡＮなどの通信回線と、
通信回線と通信接続する手段と、番組データおよび制御データなどを記憶再生する手段と、記憶再生手段を制御する手段とを有するファイルサーバと、
通信回線と通信接続する手段と、通信回線経由で受信した番組データおよび制御データを記憶再生する手段と、記憶した番組データを表示出力する表示出力手段と、外部映像装置と、外部ＡＶ機器を制御する手段とを有する複数の表示端末装置とで構成する。
【０００５】
さらに、管理編集サーバを、コンテンツ一画面毎の表示時間を設定する表示時間設定部と前記コンテンツ一画面毎の表示内容を編集する表示内容編集部と画像データや文字情報の配置等を定型的に配置したテンプレートを作成登録するテンプレート作成登録部と該テンプレートの文字色やフォントを変更して編集するテンプレート編集部となどからなる画面編集部と、スケジュールの登録、編集を行ったスケジュールの更新登録、各表示端末装置の自動電源入切り制御のスケジュールの登録などを行うスケジュールマスタ登録部と、スケジュールマスタ登録部に登録された日付選択、情報ソース選択、および表示時間などの変更と手動制御とを行うスケジュールアクティブ登録部と、スケジュールマスタ登録部に登録された日付選択、情報ソース選択、および表示時間などの変更と手動制御とを行うスュールアクティブ登録部と、編集、登録などの作業画面を選択するメニュー画面選択部と、表示端末装置の音量、自動電源入切りの時間のディフォルト値などを設定する端末設定部と、テンプレート、外部入力画像データ、音声データ、文字情報などを編集してコンテンツを作成するコンテンツ編集部と、コンテンツと外部ＡＶ装置より入力した画像データ、音声データ、文字情報などを編集してインフォメーション番組を作成する番組編集部と、外部ＡＶ装置を制御する入力機器制御部と、編集および登録などの操作を行う操作部と、複数の表示端末装置などの動作を制御するシステム制御部と、通信回線に通信接続する通信制御部とで構成し、
ファイルサーバを、通信回線に通信接続する通信制御部と、管理編集サーバより通信回線を経由して受信した画像データを記憶再生する画像データファイルと、同音声データを記憶再生する音声データファイルと、同テンプレートデータを記憶再生するテンプレートファイルと、同テキストデータを記憶再生するテキストデータファイルと、同テンプレートデータを記憶再生するテンプレートファイルと、同コンテンツデータを記憶再生するコンテンツデータファイルと、同番組データを記憶再生する番組データファイルと、該データファイル類の記憶再生を制御するファイル制御部とで構成する。
【０００６】
さらに、画面編集部に、
表示端末装置の表示部に表示する表示画面のパターンを編集するパターン編集部を追加設置する、
パターン編集のためのサンプル画面の登録を行うサンプル登録部を追加設置する、
コンテンツ一画面毎の表示効果を設定する表示効果設定部を追加設置する、
表示内容の背景、文字枠、テロップなどの画面マスタの変更および編集を行うマスタ変更部を追加設置する、
コンテンツ一画面毎の音声を設定する音声設定部を追加設置する、
もしくは、パターン毎にＢＧＭを設定するＢＧＭ設定部を追加設置する。
【０００７】
さらに、画面編集部に表示端末装置のアプリケーションプログラムを設定登録するＥＸＥ設定部と、ファイルサーバに前記設定登録された該アプリケーションプログラムの記憶再生を行うＥＸＥデータファイルとを追加設置する。
【０００８】
さらに、管理編集サーバに会議室、講習室、展示室などの施設の利用をタイムチャートなどを用いて予約登録する施設利用予約部と、ファイルサーバに予約登録された予約登録データの記憶再生を行う予約データファイルとを追加設置する。
【０００９】
さらに、表示端末装置を、
画像表示出力する表示部と音声を出力する音声出力部とを有する表示装置と、通信回線と通信接続する通信制御部と、通信回線経由で受信した、コンテンツデータの画像および音声データなどの表示データを記憶する表示データファイルと同文字や記号などの文書データを記憶するテキストデータファイルと同番組データを記憶する番組データファイルとを有するデータメモリと、日時データを生成するカンレンダと、データメモリからの読出データよりインフォメーションの表示データを生成表示するインフォメーション表示部と同再生データよりテロップ形式の表示データを生成表示するテロップ表示部と外部映像装置よりの画像信号および音声信号より表示データを生成出力するＡＶ機器表示部とを有する表示画面生成部と、番組データに基づいて表示番組をスケージュール制御する番組制御部と、外部ＡＶ機器を制御する機器制御部と、該表示端末装置を手動操作する操作部とで構成する。
【００１０】
さらに、表示装置の表示部を、ＰＤＰなどの大画面マトリクス形ディスプレイパネルと、もしくは、液晶ディスプレイプロジェクタなどの大画面プロジェクタとする。
【００１１】
さらに、データメモリの記憶手段を、
ＤＲＡＭやＳＲＡＭなどで構成する半導体ディスク記憶手段とする、
ＨＤＤなどの磁気デイスク記憶手段とする、
ＰＤなどの光記録ディスク記憶手段とする、
もしくは、ＭＯＤやＭＤＤなどの光磁気ディスク記憶手段とする。
【００１２】
さらに、データメモリに、表示用アプリケーションプログラムを記憶するＥＸＥデータファイルを追加設置する。
さらに、表示画面生成部に、
インターネット上のＨＴＭＬなどによる情報から表示画面を生成するＷＷＷ表示部を追加設置する、
もしくは、ＥＸＥデータファイルに記憶している表示アプリケーションデータに基づいて番組画面を表示生成するＥＸＥ表示部を追加設置する。
【００１３】
さらに、本部装置と通信回線と複数の表示端末装置とに、ＩＳＤＮなどの公衆回線網を追加設置し、本部装置と複数の表示端末装置とを公衆回線網を介して通信接続し、全国規模のインフォメーションネットワークを構築する、
もしくは、本部装置と通信回線と複数の表示端末装置とに、衛星通信ネットワークと衛星通信受信部とを追加設置し、本部装置と複数の表示端末装置とを衛星通信ネットワークを介して通信接続し、全国規模のインフォメーションネットワークを構築する。
【００１４】
さらに、メニュー画面選択部のスケジュールアクティブ画面を、少なくとも、月単位の年月日および曜日を表示し且つ日付設定可能なカレンダ設定欄と、日付表示欄と、送信チャンネル毎の番組を表示するチャンネル表示欄と、チャンネル毎の時間帯別の送出動作を表示するチャンネル表示時間バーと、現在送出中の番組の種類を表示する番組表示欄と、テロップを送出する時間帯を表示するテロップタイムチャートとカレンダ（日付け）表示部と、カレンダ設定欄と、チャンネル表示欄と、チャンネル表示時間バーと、現在表示中の番組表示欄と、テロップ表示タイムチャートとで構成する。
さらに、メニュー画面選択部のスケジュールアクティブ画面に、
現在表示中の番組の静止画像もしくは動画像を表示する画像表示欄を追加設置する、
パターン編集に必要となるパターン用テンプレートを選択するパターン選択ボタン欄と、テロップ編集に必要となるテロップ用プレートを選択するテロップ選択ボタン欄とを追加設置する、
もしくは、非常放送や一斉に通知する番組などを送出指令する強制表示ボタン欄を追加設置する。
【００１５】
【発明の実施の形態】
図１は本発明によるインフォメーションシステムの一実施例のシステム図、図２は本発明による管理編集サーバおよびファイルサーバの一実施例の要部ブロック図、図３は表示端末装置の要部ブロック図、図４は本発明による広域インフォメーションシステムの概略システム図である。
図１を用いて本システムの概略動作を説明する。
本発明によるインフォメーションシステムは、映像、音声、および各種データを編集して各種インフォメーション番組を作成し、該番組を再度編集して複数のチャンネルを構成し且つ送出する本部装置Ｈと、複数のチャンネルのインフォメーション番組を映像および音声で表示出力する複数の表示端末装置Ｄ，Ｄ’と、本部装置Ｈと複数の表示端末装置Ｄ，Ｄ’とを通信接続するＬＡＮなどの通信回線ＮＴ１とで構成される。
本部装置Ｈは、映像、音声、および各種データからなる番組データを編集する手段と、表示出力するインフォメーションの表示スケジュールを登録する手段と、インフォメーションの内容をマスタに登録する手段と、インフォメーションの最小単位のコンテンツを編集する手段と、コンテンツを編集して番組データを編集する手段と、コンテンツを編集するための映像、音声、および各種データを入力し選択する手段と、通信回線に通信接続する手段と、通信回線に通信接続された表示端末装置Ｄ、Ｄ’を本部より制御する手段とを有する管理編集サーバ１と、
通信回線と通信接続する手段と、番組データおよび制御データなどを記憶再生する手段と、該記憶再生手段を制御する手段とを有するファイルサーバ３とで構成される。
【００１６】
表示端末装置Ｄは、通信回線ＮＴ１と通信接続する手段と受信した番組データおよび制御データを記憶再生する手段と記憶した番組データを再生出力する手段と外部ＡＶ機器を制御する手段とを有する表示制御装置５と、表示出力手装置６と、外部映像装置７とで構成される。
管理編集サーバ１は、映像、音声、および各種データなどよりインフォメーションの最小単位のコンテンツを編集記憶し、該コンテンツおよび外部コンテンツデータなどを編集して番組データをファイルサーバ３に編集登録すると共に通信回線ＮＴ１を経由して通信接続された複数の表示端末装置Ｄ、Ｄ’を制御するための制御データを編集登録する。ファイルサーバ３に編集登録された番組データおよび制御データは通信回線ＮＴ１経由で送出される。表示端末装置Ｄは受信した番組データおよび制御データを記憶すると共に該番組データおよび制御データにより再生出力する。同時に外部映像装置７を制御して映像および音声番組を再生出力させる。ＰＤＰ等の大画面表示部、スピーカなどの音声出力部、表示信号生成部および入力信号選択部などで構成される表示装置６は、表示制御部５からの制御指令に基づき、表示制御部５からの入力信号および外部映像装置７からの入力信号を切替選択し、映像および音声によるインフォメーションを表示出力する。
【００１７】
図２を用いて管理編集サーバおよびファイルサーバの詳細動作を説明する。
管理編集サーバ１は、
コンテンツ一画面毎の表示時間を設定する表示時間設定部１１ｂとコンテンツ一画面毎の表示内容を編集する表示内容編集部１１ｅと画像データや文字情報を配置等を定型的に配置したテンプレートを作成登録するテンプレート作成登録部１１ｆとテンプレートの文字色たフォントの変更して編集するテンプレート編集部１１ｇとなどからなる画面編集部１１と、スケジュールの登録、編集を行ったスケジュールの更新登録、各表示端末装置の自動電源入切り制御のスケジュールの登録などを行うスケジュールマスタ登録部１３と、スケジュールマスタ登録部１３が設定した日付選択、情報ソース選択、表示時間などの変更と手動制御などを行うスケジュールアクティブ登録部１２と、編集、登録などの作業画面を選択するメニュー画面選択部１４と、表示端末装置の音量、自動電源入切りの時間のディフォルト値などを設定する端末設定部１５と、テンプレートや外部入力画像データ、音声データ、文字情報などを編集してコンテンツを作成するコンテンツ編集部１８と、内部作成されたコンテンツと外部ＡＶ装置１０より入力した画像データ、音声データ、文字情報などを編集してインフォメーション番組を作成する番組編集部１９と、外部ＡＶ装置１０を制御する入力機器制御部２０と、編集および登録などの操作を行う操作部２９と、複数の表示端末装置などの動作を制御するシステム制御部２８と、通信回線ＮＴ１に通信接続する通信制御部３０とで構成されている。
【００１８】
実施例の装置においては、表示端末装置毎の音量調整、電源の自動入切設定、現在時刻の設定などを行う端末設定部１５、外部ＡＶ装置１０や外部映像装置類の登録を行う機器アドレス登録部１７、複数の外部ＡＶ装置１０よりの画像信号を入力する画像データ入力部２１、同音声データを入力する音声データ入力部２２、複数の画像データ入力および音声データ入力より編集入力として選択入力する入力データ選択部２３、画像データおよびテロップデータより画像信号を表示装置２に生成出力する画像信号生成部２５、音声データより音声信号を表示装置２に生成出力する音声信号生成部２６およびファイルサーバ３内に記憶登録されたデータを検索出力する検索部２４などが加わっている。
【００１９】
さらに、オプション機能として、表示端末装置の表示部に表示する表示画面のパターンを編集するパターン編集部１１ａ、パターン編集のためのサンプル画面の登録を行うサンプル登録部１１ｄ、コンテンツ一画面毎の表示効果を設定する表示効果設定部１１ｃ、表示内容の背景、文字枠、テロップなどの画面マスタの変更および編集を行うマスタ変更部１１ｈ、コンテンツ一画面毎の音声を設定する音声設定部１１ｉ、パターン毎にＢＧＭを設定するＢＧＭ設定部１１ｊ、表示端末装置のアプリケーションプログラムを設定登録するＥＸＥ設定部１１ｋ、さらに、管理編集サーバに会議室、講習室、展示室などの施設の利用をタイムチャートなどを用いて予約登録する施設利用予約部２７などを追加設置することが出来る。
【００２０】
ファイルサーバ３は、
通信回線ＮＴ１に通信接続する通信制御部３１と、管理編集サーバ１より通信回線ＮＴ１を経由して受信した画像データを記憶再生する画像データファイル３３と、同音声データを記憶再生する音声データファイル３４と、同テキストデータを記憶再生するテキストデータファイル３５と、同テンプレートデータを記憶再生するテンプレートファイル３７と、同コンテンツデータを記憶再生するコンテンツデータファイル３９と、同番組データを記憶再生する番組データファイル４０と、該データファイル類の記憶再生を制御するファイル制御部３２とで構成されている。オプションとして、設定登録された表示端末装置のアプリケーションプログラムの記憶再生を行うＥＸＥデータファイル３６、予約登録された予約登録データの記憶再生を行う予約データファイル３８などを追加設置することが出来る。
【００２１】
本部装置Ｈの動作説明に先立ち、インフォメーションの階層別構成を解説する。
通信回線ＮＴ１には、最上位の行政チャンネル、流通部門チャンネル、金融部門チャンネル、ブライダル部門チャンネル、企業内向けチャンネルなど複数のチャンネルが、多重化されて伝送される。各チャンネルは、中位の行政情報番組、市内案内番組、商品情報番組、店舗情報番組、イベント案内番組、街角情報番組、お知らせ番組、会場紹介番組、サービス情報番組、店舗情報番組などの各種番組に、時刻データなどを付加して編集したものである。番組データは、画像データ、音声データ、文字情報、手動入力データなどを一次編集したコンテンツデータを編集して作成される。コンテンツデータは、ファイルサーバ３に予め記憶されているか、外部ＡＶ装置１０からか、もしくは、操作部２９などから入力された、テキストデータ、画像データ、音声データ、テンプレートデータなどを編集作成されたものである。コンテンツデータは、複数の画面が組み合わされた最小単位のインフォメーションでもある。編集作成に当たっては、各種サンプル画面のテンプレートなどを用いて、テキストデータ、画像データ、音声データなどを所定の場所に張り付けるだけで所定の一画面のコンテンツが作成される等の便利機能を用いることが出来る。
【００２２】
図５は本発明のによるコンテンツおよび番組編集の編集ツール画面の一例である。図６は本発明によるインフォメーションおよびスケジュール管理の説明図である。
図２、図５および図６を用いてコンテンツデータおよび番組データの編集過程を説明する。
各チンネルの番組は図６（ロ）のスケジュール表示に示すように、商品情報Ｓ６、店舗情報Ｓ７，・・・のようにコンテンツの集合体でありスロットＳに表示される各々のコンテンツには、（イ）インフォメーション表示パターンに示すように、表示時間ｔ、および表示切替効果ｅが付与されている。表示パターンは、テキスト表示、動画を含む画像表示、音声出力、テロップ表示などが組み合わされている。又スケジュールデータｄには、コンテンツや番組の時間管理だけではなく、表示端末装置の電源ＯＮ／ＯＦＦなどの制御データの含まれる。コンテンツデータ、番組データ、テロップデータ、テンプレート等の作成編集作業は、画面編集部１１より図５に示すような編集ツールにより、行われる。
【００２３】
メニュー画面選択部１４のスケジュールアクティブ画面には、月単位の年月日および曜日を表示し且つ日付が可能なカレンダ設定欄ａ、日付表示欄ｂ、送信チャンネル毎の番組を表示するチャンネル表示欄ｃ、チャンネル毎の時間帯別の送出動作を表示するチャンネル表示時間バーｄ、現在送出中の番組の種類を表示する番組表示欄ｇ、テロップを送出する時間帯を表示するテロップタイムチャートｆ，現在表示中の番組の静止画像もしくは動画像を表示する画像表示欄ｈ，パターン編集に必要となるパターン用テンプレートを選択するパターン選択ボタン欄ｉ、テロップ編集に必要となるテロップ用プレートを選択するテロップ選択ボタン欄ｊ、非常放送や一斉に通知する番組などを送出指令する強制表示ボタン欄ｋ、パターン編集を選択するパターン編集ボタンｍ、テロップ編集を選択するテロップ編集ボタンｎなどがある。
【００２４】
編集は、外部ＡＶ装置１０、操作部２９およびファイルサーバ３よりの入力データを画面編集部１１の編集ツールで編集し、完成したコンテンツデータ、番組データ、テロップデータなどは、通信制御部３０／通信回線ＮＴ１経由でファイルサーバ３に送られ、画像データファイル３３、音声データファイル３４、およびテキストデータファイル３５などにデータの種類別に記憶入力される。また番組およびコンテンツの構成、タイムスケジュール並びに機器の制御データを含む番組データおよびコンテンツデータは番組データファイル４０およびコンテンツデータファイル３９に記憶入力される。
ファイルサーバ３のファイル構成は、本実施例の形式にとらわれず、番組およびコンテンツ毎にまとめて記憶しても本システムと等価の効果を持つ。タイムスケジュールは一日２４時間を管理しており、表示端末装置Ｄおよび本部装置のＨの無人オペレーションを可能にしている。
【００２５】
システム全体の制御は、システム制御部２８が受け持っており、図示していない制御ファイルの運行テーブルに基づいて各部に制御指令をだすが詳細の説明は省略する。検索部２４はシステム制御部２８からの制御指令により、ファイルサーバ３から所定の番組データを呼び出し通信回線ＮＴ１を経由して複数の表示端末装置Ｄ、Ｄ’に送出させる。
【００２６】
図３を用いて表示端末装置３の詳細な動作説明を行う。
表示端末装置Ｄは、画像表示出力する表示装置６、通信回線と通信接続する通信制御部５１、受信したコンテツデータの画像および音声データなどの表示データを記憶する表示データファイル５２ｂと同文字や記号などの文書データを記憶するテキストデータファイル５２ｃと同番組データを記憶する番組データメモリ５２ａと表示用アプリケーションプログラムを記憶するＥＸＥデータファイル５２ｄとを有するデータメモリ５２と、日時データを生成するカレンダ５５と、データメモリ５２からの読出データよりインフォメーションデータ生成するインフォメーション表示部５６ａと同再生データよりテロップ形式の表示データを生成表示するテロップ表示部５６ｂと外部映像装置よりの画像および音声を生成出力するＡＶ機器表示部５６ｄとインターネット上のＨＴＭＬなどによる情報から表示画面を生成するＷＷＷ表示部５６ｅとＥＸＥデータファイル５２ｄに記憶している表示アプリケーションデータに基づいて番組画面を表示生成するＥＸＥ表示部５６ｆとを有する表示画面生成部５６と、番組データに基づいて表示番組をスケージュール制御する番組制御部５７と、外部ＡＶ機器を制御する機器制御部６３と、該表示端末装置を手動操作する操作部５８とで構成されている。
【００２７】
通信回線ＮＴ１経由で受信した受信データなどは、番組データ、表示データ、およびテキストデータなどに再編成されて、番組データメモリ５２ａ、表示データファイル５２ｂ、およびテキストデータファイル５２ｃなどに記憶入力される。番組データは、コンテンツデータ、画像データ、音声データ、テロップデータなどで構成され、さらにコンテンツなどの表示時間制御、表示装置６の電源制御、音量制御および入力選択制御などの表示装置制御、外部映像装置の制御などの制御データが付与されている。さらに、表示端末装置Ｄ自身の電源制御データまで付与されている。
【００２８】
表示画面生成部５６は、カレンダ５５よりの日時データに基づいて定時的にデータメモリ５２から番組データを読出し、表示出力する表示データを生成する。さらに個別動作を説明する。インフォメーション表示部５６ａはインフォメーションデータの表示データ生成し、テロップ表示部５６ｂはテロップ形式の表示データを生成し、ＡＶ機器表示部５６ｄは外部映像装置よりの画像信号および音声信号より表示データを生成する。ＥＸＥ表示部５６ｆは、ＥＸＥデータファイルに記憶している、ＪＡＶＡやプレゼンテーションソフトなどの管理編集サーバより受信記憶したアプリケーションソフトを用いて、番組データより表示データを生成する。  ＷＷＷ表示部５６ｅは、インターネット用のブラウザソフトを用いて、番組データより表示データを生成する。
案内表示部５６ｃは、会議室、講習室、展示室などの施設の利用をタイムチャートなどを用いて予約登録された予約登録データを、管理編集サーバ１より通信回線ＮＴ１を経由して受信し、施設の予約や案内情報の表示データを生成する。
【００２９】
表示データ生成部５９は表示画面生成部５６が生成した表示データより画像および音声信号データを生成し、該信号データより画像信号生成部６０および音声信号生成部６２はアナログ映像信号および音声信号を生成出力する。
表示装置６は、ＰＤＰなどの大画面マトリクス形ディスプレイパネル、もしくは液晶ディスプレイプロジェクタなどの大画面の表示部６ａと、スピーカなど音声を出力する音声出力部６ｂとを有する。信号の入力は複数チャンネルありその一端は表示制御装置５に接続され、別の端子にはＶＴＲ、ＤＶＤ、カメラなどの外部映像装置７が接続されている。機器制御部６３よりの制御信号により、これら複数の入力信号が選択入力されると共に外部映像装置７の電源入切、再生、停止などの制御も行われる。
【００３０】
また、データメモリの記憶手段は大きなメモリ容量が好ましいことから、ＤＲＡＭやＳＲＡＭなどで構成する半導体ディスク記憶手段、ＨＤＤなどの磁気デイスク記憶手段、ＰＤなどの光ディスク記憶手段、もしくは、ＭＯＤやＭＤＤなどの光磁気ディスク記憶手段が選択可能である。
【００３１】
図４を用いて、本システムを広域利用する形態の説明を行う。
本部装置Ｈと、ＬＡＮなどの構内の通信回線ＮＴ１と、複数の表示端末装置Ｄ，Ｄ’とを、ルータ８を介してＩＳＤＮなどの公衆回線網ＮＴ２と通信接続するか、もしくは、本部装置ＨとＬＡＮなどの構内の通信回線ＮＴ１と複数の表示端末装置Ｄ，Ｄ’とを、衛星通信ネットワークＳと衛星通信受信部９とを介して通信接続して、全国規模のインフォメーションネットワークが構築される。
【００３２】
【発明の効果】
本発明は、以上に説明した形態で実施され、以下に述べる効果を奏する。
管理編集サーバは、映像、音声、および各種データなどよりインフォメーションの最小単位のコンテンツを編集記憶し、該コンテンツおよび外部コンテンツデータなどを編集して番組データを編集登録すると共に通信回線を経由して通信接続された複数の表示端末装置を制御するための制御データを編集登録する。該編集登録された番組データおよび制御データは、通信回線経由で複数の表示端末装置に送出される。該表示端末装置は、受信した番組データおよび制御データを記憶すると共に該番組データおよび制御データにより表示出力手段に表示出力する。以上の如く、目的とした表示端末装置の制御プログラムおよびタイムテーブル付きの番組データを伝送するインフォメーションシステムの構築が出来る。
【図面の簡単な説明】
【図１】本発明によるインフォメーションシステムの一実施例のシステム図である。
【図２】本発明による管理編集サーバおよびファイルサーバの一実施例の要部ブロック図である。
【図３】本発明による表示端末装置の要部ブロック図である。
【図４】本発明による広域インフォメーションシステムの概略システム図である。
【図５】本発明のによるコンテンツおよび番組編集の編集ツール画面の一例である。
【図６】本発明によるインフォメーションおよびスケジュール管理の説明図である。
【符号の説明】
Ｄ  表示端末装置
Ｈ  本部装置
ＮＴ１  通信回線
ＮＴ２  公衆回線網
Ｓ  衛星通信ネットワーク
１  管理編集サーバ
３  ファイルサーバ
５  表示制御装置
６  表示装置
６ａ  表示部
６ｂ  音声出力部
７  外部映像装置
１１  画面編集部
１１ａ  パターン編集部
１１ｂ  表示時間設定部
１１ｃ  表示効果設定部
１１ｄ  サンプル登録部
１１ｅ  表示内容編集部
１１ｆ  テンプレート作成登録部
１１ｇ  テンプレート編集部
１１ｈ  マスタ変更部
１１ｉ  音声設定部
１１ｊ  ＢＧＭ設定部
１１ｋ  ＥＸＥ設定部
１２  スケジュールアクティブ登録部
１３  スケジュールマスタ登録部
１４  メニュー画面選択部
１５  端末設定部
１８  コンテンツ編集部
１９  番組編集部
２０  入力機器制御部
２７  施設利用予約部
２９、５８  操作部
３０、３１、５１  通信制御部
３２  ファイル制御部
３３  画像データファイル
３４  音声データファイル
３５  テキストデータファイル
３６  ＥＸＥデータファイル
３７  テンプレートファイル
３８  予約データファイル
３９  コンテンツデータファイル
４０  番組データファイル
５２  データメモリ
５２ａ  番組データメモリ
５２ｂ  表示データファイル
５２ｃ  テキストデータファイル
５２ｄ  ＥＸＥデータファイル
５５  カレンダ
５６  表示画面生成部
５６ａ  インフォメーション表示部
５６ｂ  テロップ表示部
５６ｃ  案内表示部
５６ｄ  ＡＶ機器表示部
５６ｅ  ＷＷＷ表示部
５６ｆ  ＥＸＥ表示部
５７  番組制御部
６３  機器制御部
ａ  カレンダ設定表示欄
ｂ  日付表示欄
ｃ  チャンネル表示欄
ｄ  チャンネル表示時間バー
ｆ  テロップタイムチャート
ｇ  番組表示欄
ｈ  画像表示欄
ｉ  パターン選択ボタン
ｊ  テロップ選択ボタン
ｋ  強制表示ボタン
ｍ  パターン編集ボタン
ｎ  テロップ編集ボタン
【図１】
0003951393.tif 000002
【図２】
0003951393.tif 000003
【図３】
0003951393.tif 000004
【図４】
0003951393.tif 000005
【図５】
0003951393.tif 000006
【図６】
0003951393.tif 000007